(57)【要約】【課題】側面部キー一体型キーシートの筐体への組み込み時における噛み込みを防ぐことが可能な構成を提供する。【解決手段】弾性材からなるベースシート１は、携帯電子機器筐体の正面部及び側面部に配置された各キースイッチ位置においてそれぞれの操作キーと対向する角度に設定されて前記キースイッチを押圧可能にする台座部分と、各台座部分の周囲に設けられて各台座部分を連結する凹状部分１ｃ及び１ｄを有する一体成型品として構成される。ベースシート１に設けられた正面部及び側面部の各台座部分を連結する各凹状部分１ｃ及び１ｄには、この弾性材からなるベースシート１を補強するためにキーシート正面部分から側面部へ回りこむように一体形成された補強板２が嵌合される。各台座部分の平坦状隆起部１ａ及び１ｂには、キートップ３及び４が接着される。【選択図】図２
2009284314.tif 000002
【特許請求の範囲】
【請求項１】
装置筐体の正面部及び側面部に操作用のキーが設けられた携帯電子機器に用いられる側面部キー一体型キーシートであって、
前記装置筐体の正面部及び側面部に配置された各キースイッチ位置においてそれぞれのキースイッチと対向する角度に設定されて前記キースイッチを押圧可能に配置された台座部分および該台座部分の周囲に設けられて各台座部分を連結する凹状部分が一体に形成された弾性材からなるベースシートと、
前記ベースシートに設けられた前記凹状部分の形状に合わせてその正面部から側面部へ回りこむように一体形成され、前記凹状部分に重ねて配置されて前記ベースシートを補強する補強板と、
前記ベースシートの前記台座部分表面の平坦状隆起部に接着され、装置筐体の正面開口部及び側面開口部から露出されるキートップと、
によって構成されていることを特徴とする側面部キー一体型キーシート。
【請求項２】
前記ベースシートは、キー照明光を透過する半透明な光散乱性を有する弾性材によって構成されており、前記補強板は不透明な硬質樹脂またはステンレス板によって構成され、キー照明光が前記装置筐体の正面部及び側面部に設けられる各操作用キーの周囲から漏れるのを防止する機能を有していることを特徴とする請求項１に記載の側面部キー一体型キーシート。
【請求項３】
請求項１又は２に記載の側面部キー一体型キーシート用のベースシートであって、前記装置筐体の正面部及び側面部に配置された各キースイッチ位置においてそれぞれのキースイッチと対向する角度に設定されて前記キースイッチを押圧可能に配置された台座部分および該台座部分の周囲に設けられて各台座部分を連結する凹状部分が一体に形成された弾性材によって構成されていることを特徴とするベースシート。
【請求項４】
請求項１又は２に記載の側面部キー一体型キーシート用の補強板であって、前記ベースシートに設けられた前記凹状部分の形状に合わせてその正面部から側面部へ回りこむように一体形成され、前記凹状部分に重ねて配置されるように構成されていることを特徴とする補強板。
【請求項５】
請求項１又は２に記載の側面部キー一体型キーシートを備えていることを特徴とする携帯電子機器。
【発明の詳細な説明】
【技術分野】
【０００１】
本発明は、正面部及び側面部にキーを備えた携帯電話機等の携帯電子機器に用いられる側面部キー一体型のキーシートに関する。
【背景技術】
【０００２】
携帯電話機、ＰＨＳ(Personal Handheld phone System)、ＰＤＡ(Personal Data Assistants)等の携帯電子機器においては、操作性を向上させるために、装置筐体の正面部及び側面部に操作用のキーが設けられている（特許文献１〜２等参照）。
【０００３】
特許文献１に記載の携帯電話機では、正面部及び側面部のキーを備えた操作ボタン部部品を平面状の弾性体シートで一体に形成し、携帯電話機の組立工程において、この操作ボタン部部品を携帯電話機筐体の裏面から押し込むことにより筐体の正面及び側面の内側に沿って折り曲げて配置し、弾性シート自身の有する復元力により筐体の内側面に密着させることによって、筐体の正面及び側面に形成されたキー露出用開口部から弾性体シートで一体に形成された各操作ボタン部を露出させており、操作ボタン組み付け工数および部品コストの削減と側面操作ボタンの照光を容易にしている。
【０００４】
特許文献２に記載の電子機器では、フロントケースの正面に設けられたキーの隣接するキートップ間を仕切る桟をケース（パネル）に設けない構成とすることによって、キートップの面積を大きくして操作性を向上させたキー構造が採用されており、フロントケース正面開口部に配置されるキーパッドは、キー基板に重ねられる弾性材からなるキーラバーと、その上に重ねられ、キーラバーの各ボタン部を挿通させる挿通孔が設けられてキーパッドの撓みを抑えるキーフレームと、挿通孔に挿通されたボタン部の前面に接着して取り付けられるキートップからなっている。一方、側面に設けられたキーを操作するキー釦は、フロントケース正面開口部に配置されるキーパッドとは別部品として構成されている。
【０００５】
【特許文献１】特開２００５−２３６４８５号公報
【特許文献２】特開２００７−０７３４４５号公報
【発明の開示】
【発明が解決しようとする課題】
【０００６】
上記特許文献１に記載の側面部キー一体型キーシートでは、平面状の弾性体シートとして、シリコンラバー等の硬度が小さい素材が使用されており、ベースシートの剛性が小さいため装置組み込み時に撓みが発生し、組み立て時に噛み込み等の不具合を発生する懸念があった。そのため、筐体に位置決めピンやリブ等のガイドをつけて、キーシートの矯正を行う必要があり、デザインや装置形状の制約になってしまう場合があった。
【０００７】
また、ベースシートに通常使われているシリコンラバーはキー照明を行うために光を通す半透明の材質が用いられており、そのため、キー照明光が側面部キー周囲のベースシート部を通して側面キーの周辺部からも漏れてしまい、きれいな文字照光ができないという問題があった。
【０００８】
一方、特許文献２に記載のキーパッドは、キー基板に重ねられる弾性材からなるキーラバーと、その上に重ねられ、キーラバーの各ボタン部を挿通させる挿通孔が設けられてキーパッドの撓みを抑えるキーフレームと、挿通孔に挿通されたボタン部の前面に接着して取り付けられるキートップによって構成しているので、キーパッドの撓みを抑制でき、また照光むらを少なくすることができるが、特許文献２に記載の発明は、フロントケースの正面に設けられたキーの隣接するキートップ間を仕切る桟をケース（パネル）に設けない構成に対応させるものであるため、側面キー用の操作ボタンの構成については考慮されていない。
【０００９】
本発明の目的は、正面及び側面キー部のベースシートを一体化した場合における上述した課題を解決することが可能なキーシートを提供することにある。
【課題を解決するための手段】
【００１０】
本発明の側面部キー一体型キーシートは、携帯電子機器筐体の正面部及び側面部に配置された各キースイッチ位置においてそれぞれのキースイッチと対向する角度に設定されて前記キースイッチを押圧可能に配置された台座部分と、該台座部分の周囲に設けられて各台座部分を連結する凹状部分とが一体形成された弾性材からなるベースシートと、前記ベースシートに設けられた前記凹状部分の形状に合わせてその正面部から側面部へ回りこむように一体形成され、前記凹状部分に重ねて配置されて前記ベースシートを補強する補強板と、前記ベースシートの前記台座部分表面の平坦状隆起部に接着され、装置筐体の正面開口部及び側面開口部から露出されるキートップと、によって構成されていることを特徴とする。
【００１１】
本発明では正面及び側面キー部と対向する角度に設定されて押圧可能に配置された台座部分を有する一体成形のベースシートとキートップ間に共通の補強板を配置し、正面部及び側面部のキーを一つの補強板で一体に保持しているので、側面キーが固定されてラバーの撓みがなくなり、装置組み込み時にも噛み込み等の懸念を低減するので、筐体への組み込みが容易となる。
【００１２】
また、前記ベースシートを、キー照明光を透過する半透明な光散乱性を有する弾性材によって構成し、前記補強板を不透明な硬質樹脂またはステンレス板によって構成することによって、側面キー周囲からのキー照明光の漏れを防止することができ、きれいな文字照光を実現することができる。
【発明の効果】
【００１３】
本発明では、側面キー部へも硬度のある補強板を一体に設置しているので、側面キー部のキーシート形状が固定され、筐体への組み込み時に噛み込みを防ぐことができ、筐体への組み込みが容易となる。
【００１４】
また、側面キー周囲にも補強板が設置されるため、側面キー周辺への光漏れを防止でき、側面キーのキートップ部に付された文字等のみを照光させることができる。
【００１５】
さらに、側面キー部のキーシート形状が補強板により固定されるので、従来のように、筐体もしくはベースシートに位置決めピンを設ける必要をなくすことができる。
【発明を実施するための最良の形態】
【００１６】
図１は、本発明を適用可能な携帯電子機器の概略を示す斜視図である。
【００１７】
図１に示す携帯電子機器は例えば携帯型電話機であり、正面および側面にキー操作部３および４が配置された本体１０と、正面に表示部が設けられた蓋体１１とを、ヒンジ部により折畳み可能に構成されており、また、本体１０の正面に配置されたキー操作部３の内、テンキー部は、隣接するキートップ間を仕切る桟がケース（パネル）に設けられていない構成となっている。
【００１８】
図２は、本発明の実施形態を示す側面部キー一体型キーシートの要部分解斜視図であり、図３は、本実施形態における側面部キー一体型キーシートの要部断面図である。
【００１９】
図において、ラバーシート等の弾性材からなるベースシート１は、携帯電子機器筐体の正面部及び側面部に配置された各キースイッチ位置においてそれぞれの操作キーと対向する角度に設定されてその表面側に平坦状隆起部１ａ及び１ｂを有するとともにその裏面側に前記キースイッチを押圧可能にする突起部１ｅ及び１ｆを有する台座部分と、各平坦状隆起部１ａ及び１ｂの周囲に設けられて各台座部分を連結する凹状部分１ｃ及び１ｄを有する一体成型品として構成されている。
【００２０】
補強板２には、ベースシート１の正面部及び側面部に設けられた各台座部分の平坦状隆起部１ａ及び１ｂを挿通させる挿通孔を有する一体成型品として構成され、ベースシート１の正面部分から側面部へ回りこむようにして各台座部分を連結している凹状部分１ｃ及び１ｄ上に重ねて配置されることによって、弾性材からなるベースシート１を補強する機能を有する。この補強板２としては、不透明な硬質樹脂材あるいはステンレス製の板を用いるのが好適である。
【００２１】
また、キートップ３及び４は、ベースシート１の各台座部分の表面側に設けられた平坦状隆起部１ａ及び１ｂに接着され、ユーザがキー操作を行うための操作ボタンとして機能する。
【００２２】
本実施形態の側面部キー一体型キーシートの組み立ては、先ず弾性材からなるベースシート１の表面側の各台座部分の平坦状隆起部１ａ及び１ｂと補強板２の挿通孔を位置合わせして重ね、ネジあるいは接着剤等でベースシート１と補強板２とを固定する。次に、ベースシート１の各台座部分の平坦状隆起部１ａ及び１ｂに、それぞれ対応するキートップ３及び４を接着することによって側面部キー一体型キーシートを完成させる。
【００２３】
このようにして組み立てられた側面部キー一体型キーシートを、携帯電子機器本体内のキー基板上に固定し、その上から各操作キー露出用開口部を有する携帯電子機器本体１０のフロントケースを被せて固定することにより携帯電子機器への組み込みを行う。
【００２４】
あるいは組み立てられた側面部キー一体型キーシートを、携帯電子機器本体１０のフロントケース裏面から、本体１０のフロントケースに設けられた各操作キー露出用開口部にそれぞれ対応するキートップ３及び４が位置するように設定して本体１０のフロントケース裏面側に固定し、該キーシートが固定された本体１０のフロントケースを携帯電子機器本体内のキー基板上に被せて固定することにより携帯電子機器への組み込みを行う。
【００２５】
本実施形態によれば、操作キーの組み付け工数を低減することができるとともに、補強板２によって側面キー部のキーシート形状が固定されているために、筐体への組み立て時に弾性材からなるベースシートの噛み込みを防ぐことができ、筐体への組み込みが容易となる。
【００２６】
図４は、本実施形態における弾性材からなるベースシート１を半透明な光散乱性を有する弾性材によって構成し、キー照明を行う実施例の一部を示す要部断面図である。
【００２７】
図において、ベースシート１は半透明な光散乱性を有する弾性材からなり、このベースシート１に設けられた正面部及び側面部の各台座部分を連結する各凹状部分１ｃ及び１ｄには、この弾性材からなるベースシート１を補強するためにキーシート正面部分から側面部へ回りこむように一体形成された補強板２が嵌合されている。
【００２８】
側面部キートップ４によって操作されるスイッチ６の周囲に設置された照光用のＬＥＤ(Light Emitting Diode)７ａ，７ｂから出た光は、ベースシート１の側面キー用台座部分および側面部キートップ４を通過してキー表面の透過部分５の部分からのみ外へ出る。この時、側面キーの周囲は不透明材からなる補強版２によって光の進路が遮られるため、側面部キートップ４の周囲からキー照明光が漏れることはない。
【００２９】
なお、上記各実施形態では、弾性材からなるベースシート１を補強する補強板２を、正面部のテンキー部と側面部キー部に配置したが、方向キー及び機能キーの部分にも配置することができる。また上記各実施形態では、フランジ部を有する側面キートップが示されているが、側面キーはフランジ部の有無に関係なく実現可能である。
【図面の簡単な説明】
【００３０】
【図１】本発明を適用可能な携帯電子機器の概略を示す斜視図である。
【図２】本発明の実施形態を示す側面部キー一体型キーシートの要部分解斜視図である。
【図３】本実施形態における側面部キー一体型キーシートの要部断面図である。
【図４】本実施形態において、キー照明を行う実施例の一部を示す要部断面図である。
【符号の説明】
【００３１】
１  ベースシート
１ａ，１ｂ  平坦状隆起部
１ｃ，１ｄ  凹状部分
１ｅ，１ｆ  裏面側突起部
２  補強板
３、４  キートップ
５  キー表面の透過部分５
６  スイッチ
７ａ，７ｂ  ＬＥＤ
１０  機器本体
１１  蓋体
【図１】
2009284314.tif 000003
【図２】
2009284314.tif 000004
【図３】
2009284314.tif 000005
【図４】
2009284314.tif 000006